(57)【特許請求の範囲】
【請求項１】
室内の空気を吸気する吸気口と、
該吸気口より吸気された空気を排出する排出口と、
前記吸気口を介して前記空気を吸入するファンと、
該ファンにより吸入された前記空気を、前記排出口へと導くダンパーと、
前記ファンを収納するファン収納部と前記ファンより前記空気の送風が行われる送風部とを有する本体ケースとを備え、
前記本体ケースには、前記ファン収納部と前記送風部との境界を形成する舌状壁部が形成され、該舌状壁部の前記送風部側の側壁は凹状湾曲面により構成され、
該凹状湾曲面は、前記本体ケースの上面側より下側に進むに従って曲率が大きくなる曲面によって形成される
ことを特徴とする送風装置。
【請求項２】
前記送風部の前記凹状湾曲面に対向する対向側壁は、前記凹状湾曲面に対応する曲面により構成されることを特徴とする請求項１に記載の送風装置。
【請求項３】
前記送風部の側壁部に前記排出口が形成され、
当該排出口へと続く前記送風部の側壁面が連続する曲面により構成される
ことを特徴とする請求項１または請求項２に記載の送風装置。
【発明の詳細な説明】
【技術分野】
【０００１】
本発明は、ファンにより吸気口を介して室内の空気を吸気し、吸入された空気を排出口より排出する送風装置に関する。
【背景技術】
【０００２】
一般的な建築物には、建物内の空調を行うために多くの送風装置が設置されている。特に近年では、居室を有する建物に２４時間換気システムを設置することが義務づけられたことから、浴室空調装置等を室内換気用の送風装置として利用することが多くなっている。
【０００３】
屋内換気用の送風装置には、一般的にシロッコファンが用いられている。シロッコファンは、周縁部に複数の翼が配設された円盤状のファンを回転させることによって、回転中心から周方向へと空気を吸入させる構造となっている。シロッコファンを使用した送風装置は、その構造から設備の厚み（高さ）を低くすることができるため、装置本体をコンパクトに設計することが容易である。このため、シロッコファンを用いた送風装置は、設置スペースが限られる浴室天井等に設置し易く、浴室空調装置等においても最も多く用いられる構成となっている（例えば、特許文献１参照）。
【特許文献１】特開２００４−３４０４０７号公報（第４−６頁、第１図）
【発明の開示】
【発明が解決しようとする課題】
【０００４】
一般的な浴室空調装置では、浴室より吸気した空気をヒータで暖めたりした後に再度浴室に循環させる循環機能を備えるものが多い。このように浴室の空気を循環させる場合には、吸気した空気を再度浴室に導くためにダンパー等を備えることが多く、シロッコファンによって吸入された空気はダンパーに沿って送風空間（送風部）を通り、浴室に循環される。
【０００５】
しかしながら、空気が送風部を通過する場合、送風部に流れ込む空気の密度差や風速の違いにより送風部内で空気の乱れが生じやすくなり騒音が生じてしまう傾向があった。
【０００６】
特に、シロッコファンを収納するファン収納部と送風部との境界を形成する舌状壁部が形成されている場合には、送風部の舌状壁部近傍に空気が留まり易くなるため、そこに留まる空気と新たに送風部に入り込んできた空気とがぶつかって騒音を発しやすくなるという問題があった。
【０００７】
本発明は、上記問題に鑑みてなされたものであり、送風部に空気が留まることを防止し、送風部における騒音を低減させることが可能な送風装置を提供することを課題とする。
【課題を解決するための手段】
【０００８】
上記課題を解決するために、本発明に係る送風装置は、室内の空気を吸気する吸気口と、該吸気口より吸気された空気を排出する排出口と、前記吸気口を介して前記空気を吸入するファンと、該ファンにより吸入された前記空気を前記排出口へと導くダンパーと、前記ファンを収納するファン収納部と前記ファンより前記空気の送風が行われる送風部とを有する本体ケースとを備え、前記本体ケースには、前記ファン収納部と前記送風部との境界を形成する舌状壁部が形成され、該舌状壁部の前記送風部側の側壁は凹状湾曲面により構成されることを特徴とする。
【０００９】
また、送風装置の前記凹状湾曲面が、前記本体ケースの上面側より下側に進むに従って曲率が大きくなる曲面によって形成されていてもよく、さらに、前記送風部の前記凹状湾曲面に対向する対向側壁が、前記凹状湾曲面に対応する曲面により構成されていてもよい。
【００１０】
また、前記送風部の側壁部に前記排出口が形成され、当該排出口へと続く前記送風部の側壁面が連続する曲面により構成されているものであってもよい。
【発明の効果】
【００１１】
本発明に係る送風装置によれば、舌状壁部の送風部側の側面が凹状湾曲面により構成されているので、送風部に流れ込んでくる空気を螺旋状に旋回させて排出口に案内することができる。この螺旋状の空気の流れを送風部で生じさせることによって、送風部における空気の留まりを防止して排気口に向かう風速の均一化を図ることができ、空気の密度差等に起因する騒音の発生を低減させることが可能となる。
【００１２】
また、螺旋状の空気の流れにより排気口に向かう風速の均一化を図ることができるので、排気口より排出される空気をヒータ等で加熱する場合には、ヒータを通る空気の均一化を図ることができ、ヒータで暖められる空気の温度ムラを低減させることが可能となる。
【００１３】
さらに、凹状湾曲面が本体ケースの上面側より下側に進むに従って曲率が大きくなる曲面によって形成されているため、風速の速い空気は舌状壁部の湾曲面上寄りの曲率の小さな曲面により回転半径の小さな螺旋の流れを形成し、風速の遅い空気は舌状壁部の湾曲面下寄りの曲率が大きな曲面により回転半径の大きな螺旋の流れを形成することができ、螺旋状の空気の流れを積極的に作ることが可能となる。
【００１４】
また、送風部に対向する対向側壁を、凹状湾曲面に対応する曲面により構成することによって、凹状湾曲面と対向側面都によってすり鉢状の湾状凹所を形成することができるので、より一層、螺旋状の空気の流れを生じさせやすくなる。
【００１５】
さらに、送風部の側壁部に排出口が形成され、排出口へと続く送風部の側壁面が連続する曲面により構成されているので、螺旋状に旋回された空気は、排出口近傍で気流の乱れを生ずることなく排出口へと流れて行き易くなり、空気の乱れによる騒音等の発生を低減させることが可能となる。
【発明を実施するための最良の形態】
【００１６】
以下、本発明に係る送風装置を浴室空調装置として使用する場合について説明を行う。
【００１７】
図１は、浴室空調装置を示した斜視図であり、図２は、浴室空調装置を示す側方断面図である。浴室空調装置１は、ファンユニット２と、本体ケース３と、ダンパー４と、ファンカバー５と、ヒータ６と、フロントパネル７とを有している。
【００１８】
ファンユニット２は、ファンモータ８とシロッコファン９とを有している。シロッコファン９は、円盤状の基盤９ａの周縁部に複数の翼９ｂが配設されたものであり、基盤９ａの中心にはファンモータ８の回転軸８ａが固定される。ファンモータ８の駆動により回転軸８ａに駆動力が加えられると、シロッコファン９が回転軸８ａとともに回転し、基盤９ａ前方の空気をシロッコファン９の翼９ｂを介してシロッコファン９の側方へと吸入する。
【００１９】
本体ケース３は、下方に解放された開口を有す箱体であり、図３に示すように、ファンユニット２を設置するためのファン収納部１２と、送風部としてダンパー４を収納するためのダンパー収納部１３とが形成されている。
【００２０】
ダンパー収納部１３は、ダンパー４を回動自在に収納することが可能な凹所であり、ダンパー収納部１３の下方にはヒータ６が設置されると共に、後述する吹出口（排出口）１５が形成され、ダンパー収納部１３の側壁には、屋外に空気を排気するための排気口（排出口）１６が形成されている。
【００２１】
ここで、ダンパー４は平面視略長方形状を呈し、図２に示すように側方視で中央部が凸状となる緩やかな湾曲形状を有している。ダンパー４の下端部には軸４ａが形成されており、この軸４ａの両端はダンパー収納部１３の側壁に回動自在に軸支される。また、ダンパー４の下面にはリブ４ｂが形成されており、このリブ４ｂには浴室空調装置１の運転モードに応じて回動されるカム１８の突起部１９を案内するガイド孔４ｃが形成されている。カム１８が回動するとその回動角度に応じて突起部１９の停止位置が変化してダンパー４の回動角度の調整が行われる。
【００２２】
ファン収納部１２は、シロッコファン９の直径よりも拡径の略円柱状凹所であり、ファンモータ８を本体ケース３の上面部に設置し、ファン収納部１２の中心に形成される開口１２ａより回動軸８ａを突出させた状態でシロッコファン９をファン収納部１２に収納することによって、シロッコファン９の基盤９ａ中心を回動軸８ａの先端に固定する構造となっている。
【００２３】
ファン収納部１２の側壁面１２ｂとシロッコファン９の外周側９ｃとの間には、図４に示すように、吸入された空気を通すための狭通路２０が、シロッコファン９の外周側９ｃに沿って反時計回りに約３／４周程度延設されている。さらに、狭通路２０は、狭通路２０を通る空気をダンパー収納部１３へと導く拡通路２１に連通されている。
【００２４】
拡通路２１は、狭通路２０からダンパー収納部１３へと進むに従って通路幅が拡幅されており、通路の一の側壁２１ａはファン収納部１２の側壁面１２ｂから排気口１６へと延設される側壁により形成され、他の側壁２１ｂは、シロッコファン９の外周側９ｄと、狭通路２０とダンパー収納部１３との境界を形成する舌状壁部２２の側壁２２ａとにより形成されている。
【００２５】
拡通路２１には、図４、図５に示すように、４つの整流板２５ａ〜２５ｄが形成されており、各整流板２５ａ〜２５ｄは、拡通路２１の通路幅に対してほぼ均一の間隔を保つようにして本体ケース３の上面に配設される。各整流板２５ａ〜２５ｄは、狭通路２０より流れてきた空気をダンパー収納部１３へとスムーズに誘導させるために、緩やかにカーブしており、その後端の間隔は、拡通路２１の通路幅の拡幅に応じて徐々に広がるようにして配設されている。
【００２６】
また、各整流板２５ａ〜２５ｄは、図５に示すように、本体ケース３の上端から下方に進むに従って、徐々にシロッコファン９方向に傾斜されるように反り返っている。さらに、整流板２５ａ〜２５ｄの水平断面形状は、図４に示すように、狭通路２０よりの前端部の幅をダンパー収納部１３側の後端部よりも太くするとともに端部を丸く加工した尾翼形状となっている。
【００２７】
整流板２５ａ〜２５ｄの高さはシロッコファン９寄りの整流板の方が隣接する後ろ側の整流板よりも高さが低くなるように調整されており、配設される４つの整流板２５ａ〜２５ｄはその高さの違いによって階段状に構成されている。シロッコファン９に最も近い位置に形成される整流板２５ａは、整流板２５ａの側壁がシロッコファン９の外周側９ｄ上部を臨み、後端部２５ａ２が舌状壁部２２のダンパー収納部１３側の側壁２２ａに向かうように設置されている。
【００２８】
ダンパー収納部１３における舌状壁部２２の側壁は、本体ケース３上面側に比べて下側に進むに従って曲率が大きくなる凹状の湾曲面（凹状湾曲面）２６によって構成されている。さらに、この湾曲面２６に対向するダンパー収納部１３の対向側壁２７は、この湾曲面に対応する曲面により構成されており、舌状壁部２２の湾曲面２６とその対向側壁２７とにより、ダンパー収納部１３の舌状壁部２２近傍には略すり鉢状の湾状凹所２８が形成されている。
【００２９】
また、ダンパー収納部１３の排気口１６近傍の側壁は、対向側壁２７から排気口１６へと繋がる連続的な曲面２９によって形成されている。
【００３０】
ファンカバー５は、図１、図２に示すように、本体ケース３の下面を覆うようにして設置される。ファンカバー５には、シロッコファン９の中心部へ空気を導くための吸入孔５ａと、ダンパー収納部１３へと運ばれてきた空気を屋内へ循環させるための吹出孔５ｂとが形成されている。吸入孔５ａはシロッコファン９の基盤９ａ正面を臨むようにして形成された円形状の開口であり、吹出孔５ｂはダンパー収納部１３を臨むようにして形成される略四角形状の開口である。このファンカバー５が本体ケース３の下面に設置されることにより、狭通路２０と拡通路２１との下面がファンカバー５により構成されることとなる。
【００３１】
ファンカバー５の吹出孔５ｂには、ヒータ６が設置されている。ヒータ６には、ＰＴＣヒータが用いられており、図示を省略するセンサーにより暖められた空気の温度を計測することによってヒータ６のＯＮ／ＯＦＦ制御が行われる。
【００３２】
ファンカバー５が設置された本体ケース３の下面には、フロントパネル７が設置されている。フロントパネル７には、ファンカバー５の吸入孔５ａに対応する位置に吸入口（吸気口）３０が形成され、さらにファンカバー５の吹出孔５ｂに対応する位置に吹出口１５が形成されている。吸入口３０には、埃の吸入を防止するためのフィルタが着脱可能に取り付けられている。浴室空調装置１は、本体ケース３を天井裏方向に突出させるようにして天井面３３に固定され、フロントパネル７だけを浴室の天井面３３に露呈させた状態で浴室に設置される。
【００３３】
次に、このようにして構成される浴室空調装置１が稼働する場合について説明する。
【００３４】
浴室空調装置１を動作させる場合、ユーザーは浴室の脱衣所等に設置される操作パネル４０を操作することによって運転モードの選択を行う。具体的には、浴室の暖房を行う暖房モード、浴室の換気を行う換気モード、浴室の乾燥を行う乾燥モード、浴室に涼風を導き入れる涼風モードを選択する。さらにマンション等の２４時間換気を行う必要がある建物では、浴室空調装置１の運転モードが選択されていない場合に２４時間換気モードの運転が行われる。
【００３５】
ユーザーにより運転モードの選択が行われると、図６に示すように、選択された運転モード情報が浴室空調装置１に設置される制御部４１に伝達される。制御部４１では、選択された運転モードに応じてカム駆動用モータ４２を駆動させてカム１８の回動角度を制御し、ダンパー４の回動位置を全開、半開、全閉のいずれかに調整する。さらに制御部４１は、選択された運転モードに応じて、ファンユニット２のファンモータ８を駆動させてシロッコファン９の回転速度を強、弱のいずれかに調整するとともに、ヒータ６のＯＮ／ＯＦＦ制御を行う。
【００３６】
なお、ダンパー４の回動位置が全閉の状態とは、図２に示すように、排気口１６を塞ぐ位置にダンパー４を回動させて狭通路２０、拡通路２１を通って流れてくる空気を吹出口１５へと導く状態（図２の矢印Ａから矢印Ｂに示す空気の流れ参照）を意味し、全開の状態とは、図７ａに示すように、吹出口１５を塞ぐ位置にダンパー４を回動させて狭通路２０、拡通路２１を通って流れてくる空気を排気口１６へと導く状態（図７ａの矢印Ａから矢印Ｃに示す空気の流れ参照）を意味し、半開の状態とは、狭通路２０、拡通路２１を通って流れてくる空気を、吹出口１５と排気口１６との両方に導くために、ダンパー４を図７ｂに示す中間位置に回動させた状態（図７ｂの矢印Ａから矢印Ｂおよび矢印Ａから矢印Ｃに示す空気の流れ参照）を意味する。
【００３７】
次に、空調装置の稼働動作を運転モード毎に分けて説明する。
【００３８】
＜暖房モードの場合＞
ユーザーにより暖房モードの設定が行われると、制御部４１は、図２に示すように、ダンパー４を全閉位置に回動させるとともに、シロッコファン９の回転速度を強に設定し、ヒータ６をＯＮにする。シロッコファン９の回転速度が強に設定されると、シロッコファン９の回転に伴って吸入口３０より浴室内の空気が本体ケース３内へと吸入される。
【００３９】
吸入された空気は、シロッコファン９の翼９ｂの間を通って狭通路２０へと案内され、拡通路２１へと導かれる。拡通路２１では、拡通路２１の通路幅が狭通路２０の通路幅に比べて広くなっているため、狭い通路から広い通路へと流れてきた空気が気流の乱れを発生させ易くなる。しかしながら、拡通路２１には通路幅が広がり始める箇所に４つの整流板２５ａ〜２５ｄが等間隔に配設されているため、この整流板２５ａ〜２５ｄにより空気の流れが整流される。このため、狭通路２０より流れてくる気流を拡通路２１で乱すことなくダンパー収納部１３へと導くことが可能となる。
【００４０】
一方で、拡通路２１では、シロッコファン９の回転により吸入された空気が、図５に示すように、整流板２５の延設方向と直行する方向より導入される。特に、導入される空気は、シロッコファン９の外周側９ｄ上方（図５（ａ）、図５（ｂ）の矢印参照）に向けて風量が増す傾向にあるため、拡通路２１の断面方向における空気の乱れを生じ易くなり、拡通路２１において気流の渦を発生させるおそれがある。
【００４１】
しかしながら、整流板２５ａ〜２５ｄは、図５に示すように、シロッコファン９寄りの整流板がその後ろに形成される整形板よりも高さが低くなるよう階段状に構成されているため、シロッコファン９の高さ（厚み）毎に異なる空気の流れを各整流板２５ａ〜２５ｄで分担して受け止めることができる。このため、シロッコファン９から導入される空気が拡通路２１の断面方向に渦を巻きにくくなり、空気の乱れ（渦）により発生するバサバサ音を低減させることが可能となる。
【００４２】
特に、各整流板２５ａ〜２５ｄは、本体ケース３の上面側端部から下端部に進むに従って、徐々にシロッコファン９方向へ傾斜するように（反り返えるように）形成されているため、各整流板２５ａ〜２５ｄにより受け止められた空気は、整流板２５ａ〜２５ｄの端部で空気の乱れを生ずることなく整流板２５ａ〜２５ｄの延設方向へと導かれ易くなり、狭通路２０より流れてくる空気と相まって円滑にダンパー収納部１３へ導かれる。
【００４３】
また、整流板２５ａ〜２５ｄの断面形状が尾翼形状により構成されているので、整流板２５ａ〜２５ｄに対する気流の空気抵抗を低減させることができ、風きり音等の騒音を低減させることが可能となる。
【００４４】
各整流板２５ａ〜２５ｄにより整流された空気は整流板２５ａ〜２５ｄの延設方向に導かれる。各整流板２５ａ〜２５ｄは、緩やかなカーブを描くようにして延設され、さらに、その後端の間隔を、拡通路２１の通路幅の拡幅に応じて徐々に広げるようにして配設されるため、整流板２５ａ〜２５ｄにより導かれた空気は、空気の流れの速度を整流板２５ａ〜２５ｄの間隔の広がりに応じて徐々に緩めることができるとともに、ダンパー収納部１３に均等に広げて空気を導くことができる。
【００４５】
ダンパー収納部１３へと導かれた空気は、ダンパー４の下面側の凹状湾曲面４ｄに沿ってヒータ６へと流れて行き、ヒータ６で加熱された後に吹出口１５を介して浴室内に循環される。このとき、シロッコファン９より遠い位置に配置された整流板２５ｄにより狭通路２０からダンパー収納部１３へと導かれた空気は、ダンパー収納部１３に留まることなくダンパー４の凹状湾曲面４ｄに沿ってヒータ６へと流れて行くが、シロッコファン９寄りに位置する整流板２５ａにより狭通路２０からダンパー収納部１３へと導かれた空気は湾状凹所２８に入り込んでしまい、この部分に空気が留まり易くなる。
【００４６】
湾状凹所２８に空気が留まってしまうと、湾状凹所２８に新たに入ってくる空気と留まっている空気とがぶつかって空気の乱れを生じ、空気の乱れによる騒音を発生させ易くなる。また、湾状凹所２８において空気の乱れが生じると、ヒータ６へ流れ込む風量が吹出口１５の位置によって異なって（ムラとなって）しまうおそれがあるため、浴室内に吹き出される温風に温度ムラが生じ、浴室で乾燥される衣類の乾き状態が干す位置によって異なってしまうという傾向があった。
【００４７】
しかしながら、ダンパー収納部１３における舌状壁部２２の側壁は湾曲面２６で構成されているため、ダンパー収納部１３へ流れて込んできた空気は、ダンパー４裏面から舌状壁部２２の湾曲面２６へと導かれ、大きな螺旋状の流れを形成してヒータ６へと導かれることとなる（図４の矢印参照）。
【００４８】
特に、シロッコファン９に最も近い位置に形成される整流板２５ａの後端部２５ａ２が、舌状壁部２２のダンパー収納部１３側の側壁２２ａに向かうようにして設置され、さらに、舌状壁部２２の湾曲面２６が下側に進むに従って曲率が大きくなる曲面により構成されているので、風速の速い空気は、舌状壁部２２の湾曲面２６上寄りの曲率の小さな曲面により回転半径の小さな螺旋の流れを形成し、風速の遅い空気は、湾曲面２６下寄りの曲率が大きな曲面により回転半径の大きな螺旋の流れを形成してヒータ６へと導かれる。
【００４９】
このように、湾曲面２６が形成される浴室空調装置１では、湾曲面２６に沿って空気が旋回されるため、湾状凹所における空気の留まりを防止して排気口に向かう風速の均一化を図ることができ、空気の密度差等に起因する騒音の発生を低減させることが可能となる。
【００５０】
また、湾状凹所２８において空気を螺旋状に旋回させてヒータ６へと導くことができるので、ヒータ６に均一な風速の空気を送り込みことができ、吹出口１５より浴室に循環される温風の温度ムラを低減させることが可能となる。
【００５１】
さらに、螺旋状の空気の流れにより湾状凹所２８に空気が留まりにくくなるため、空気の留まり減少による送風量の向上を図ることが可能となる。
【００５２】
＜換気モードおよび２４時間換気の場合＞
ユーザーにより換気モードの設定が行われると、制御部４１は、図７ａに示すように、ダンパー４を全開位置に回動させるとともに、シロッコファン９の回転速度を強に設定し、ヒータ６をＯＦＦにする。シロッコファン９の回転速度が強に設定されると、シロッコファン９の回転に伴って吸入口３０より浴室内の空気が本体ケース３内に吸入される。
【００５３】
吸入された空気は、シロッコファン９の翼９ｂの間を通って狭通路２０へと案内され、拡通路２１へと導かれる。拡通路２１では、拡通路２１の通路幅が狭通路２０の通路幅に比べて広くなっているため、狭い通路から広い通路へと流れてきた空気が気流の乱れを発生させ易くなる。しかしながら、拡通路２１には通路幅が広がり始める箇所に４つの整流板２５ａ〜２５ｄが等間隔に配設されているため、上述した暖房モードの場合と同じように整流板２５ａ〜２５ｄにより空気の流れが整流される。このため、狭通路２０より流れてくる気流を拡通路２１で乱すことなくダンパー収納部１３へと導くことが可能となる。
【００５４】
また、整流板２５ａ〜２５ｄは、図５に示すように、シロッコファン９寄りの整流板がその後ろに形成される整形板よりも高さが低くなるよう階段状に構成されているため、シロッコファン９の高さ（厚み）毎に異なる空気の流れを各整流板２５ａ〜２５ｄで分担して受け止めることができる。このため、シロッコファン９から導入される空気が拡通路２１の断面方向に渦を巻きにくくなり、空気の乱れ（渦）により発生するバサバサ音を低減させることが可能となる。
【００５５】
特に、各整流板２５ａ〜２５ｄは、本体ケース３の上面側端部から下端部に進むに従って、徐々にシロッコファン９方向に傾斜するように形成されているため、各整流板２５ａ〜２５ｄにより受け止められた空気は、整流板２５ａ〜２５ｄの端部で空気の乱れを生ずることなく整流板２５ａ〜２５ｄの延設方向へと導かれ易くなり、狭通路２０より流れてくる空気と相まって円滑にダンパー収納部１３へ導かれる。
【００５６】
また、整流板２５ａ〜２５ｄの断面形状が尾翼形状により構成されているので、整流板２５ａ〜２５ｄに対する気流の空気抵抗を低減させることができ、風きり音等の騒音を低減させることが可能となる。
【００５７】
各整流板２５ａ〜２５ｄにより整流された空気は整流板２５の延設方向に導かれる。各整流板２５ａ〜２５ｄは、緩やかなカーブを描くようにして延設され、さらに、その後端の間隔を、拡通路２１の通路幅の拡幅に応じて徐々に広げるようにして配設されるため、整流板２５ａ〜２５ｄにより導かれた空気は、空気の流れの速度を整流板２５ａ〜２５ｄの間隔の広がりに応じて徐々に緩めることができるとともに、ダンパー収納部１３に均等に広げて空気を導くことができる。
【００５８】
このように間隔を保って整流板２５ａ〜２５ｄが設置される浴室空調装置１では、整流板が設置されていない浴室空調装置に比べて、５％程度騒音値を低減させることが可能となる。
【００５９】
ダンパー収納部１３へと流れてきた空気は、そのまま排気口１６へと流れて行き、排気口１６に連結される排気管によって屋外または他の部屋等に排出される。また、整流板２５ａに案内されて湾状凹所２８に流れ込んできた空気は、舌状壁部２２の湾曲面２６と対向側壁２７の曲面とにより形成されるすり鉢形状の湾状凹所２８によって螺旋状の流れを形成しつつ排気口１６方面に導かれることとなる。
【００６０】
特に、ダンパー収納部１３の排気口１６近傍の側壁が、対向側壁２７から排気口１６へと繋がる連続的な曲面２９によって形成されているので、螺旋状に旋回された空気は排気口１６の近傍（ダンパー収納部１３から排気管への連結部分等）で気流の乱れを生ずることなく排気口１６へと流れ、空気の乱れによる騒音等の発生を低減させることが可能となる。
【００６１】
また、空気の流れを螺旋状に整流して排気口１６へと導くことができるので、湾状凹所２８の空気が留まりにくくなり、空気の排気効率の向上を図ることが可能となる。
【００６２】
なお、２４時間換気を行う場合、制御部４１は、ダンパー４を全開位置に回動させるとともに、シロッコファン９の回転速度を弱に設定し、ヒータ６をＯＦＦにする。２４時間換気モードでは、本体ケース３内に導入される空気の風速が弱くなるという違いはあるが、上述した換気モードと同様の経路を経て空気が吸入・排出されることとなる。
【００６３】
２４時間換気を行う場合、湾曲面２６が形成される浴室空調装置１の騒音値と湾曲面２６形成されていない浴室空調装置の騒音値とを比較すると、湾曲面２６が形成される浴室空調装置１の方が湾曲面２６の形成されていない浴室空調装置よりも騒音値が低減され、騒音を抑制することが可能となる。
【００６４】
このように、２４時間換気を行う場合であっても、本発明に係る浴室空調装置を用いることによって、空気の乱れにより発生するバサバサ音を抑制させることでき、空気の排気効率の向上を図ることが可能となる。
【００６５】
特に、２４時間換気の場合には深夜もファンユニット２が稼働するので、２［ｄＢ］程度の騒音の低減は顕著な消音効果を奏するものであり、ユーザーに浴室空調装置の稼働を意識させることなく屋内の換気を行うことが可能となる。
【００６６】
＜乾燥モードおよび涼風モードの場合＞
ユーザーにより乾燥モードの設定が行われると、制御部４１は、図７ｂに示すように、ダンパー４を半開位置に回動させるとともに、シロッコファン９の回転速度を強に設定し、ヒータ６をＯＮにする。シロッコファン９の回転速度が強に設定されると、シロッコファン９の回転に伴って吸入口３０より浴室内の空気が本体ケース３内に吸入される。
【００６７】
吸入された空気は、シロッコファン９の翼９ｂの間を通って狭通路２０へと案内され、拡通路２１へと導かれる。拡通路２１に導かれた空気は、上述した暖房モード、換気モードおよび２４時間換気モードと同様に整流板２５ａ〜２５ｄによって整流されるため、気流の乱れを発生させることなく空気をダンパー収納部１３へ案内することが可能となる。
【００６８】
また、整流板２５ａ〜２５ｄは、シロッコファン９寄りの整流板がその後ろに形成される整形板よりも高さが低くなるよう階段状に構成されているため、シロッコファン９から導入される空気が拡通路２１の断面方向に渦を巻き難くなり、空気の渦等により生ずる騒音を低減させることが可能となる。
【００６９】
特に、各整流板２５ａ〜２５ｄは、本体ケース３の上面側端部から下端部に進むに従って、徐々にシロッコファン９方向に傾斜するように形成されているため、各整流板２５ａ〜２５ｄにより受け止められた空気は、整流板２５ａ〜２５ｄの端部で空気の乱れを生ずることなく整流板２５ａ〜２５ｄの延設方向へと導かれ易くなり、狭通路２０より流れて行く空気と相まって円滑にダンパー収納部１３へ導かれる。
【００７０】
また、整流板２５ａ〜２５ｄの断面形状が尾翼形状により構成されているので、整流板２５ａ〜２５ｄに対する気流の空気抵抗を低減させることができ、風きり音等の騒音を低減させることが可能となる。
【００７１】
さらに、各整流板２５ａ〜２５ｄは、緩やかなカーブを描くようにして延設され、その後端の間隔を、拡通路２１の通路幅の拡幅に応じて徐々に広げるようにして配設されるため、整流板２５ａ〜２５ｄにより導かれた空気は、空気の流れの速度を整流板２５ａ〜２５ｄの間隔の広がりに応じて徐々に緩めることができるとともに、ダンパー収納部１３に均等に広げて空気を導くことができる。
【００７２】
ダンパー収納部１３へと流れてきた空気は、半開位置に回動されたダンパー４により、一部の空気は排気口１６を介して屋外等へ排出され、他の空気は吹出口１５を介して浴室へと循環される。
【００７３】
吹出口１５へと流れる空気は、ダンパー収納部１３に導かれた後、ダンパー４の凹状湾曲面に沿ってヒータ６へと導かれる。
【００７４】
排気口１６へと流れる空気は、拡通路２１を介して湾状凹所２８に流れ込み、すり鉢状に形成された湾状凹所２８の湾曲面２６により螺旋状の流れを形成しつつ排気口１６に搬送される。特に、ダンパー収納部１３の排気口１６近傍の側壁が連続的な曲面２９によって形成されているので、螺旋状に旋回された空気は、排気口１６の近傍で気流の乱れを生ずることなく排気口１６へと流れ、空気の乱れによる騒音等の発生を低減させることが可能となる。
【００７５】
また、空気の流れを螺旋状に整流して排気口１６へと導くことができるので、湾状凹所２８の空気が留まりにくくなり、空気の排気効率の向上を図ることが可能となる。
【００７６】
なお、ユーザーにより涼風モードが選択された場合には、制御部４１が、図７ｂに示すように、ダンパー４を半開位置に回動させるとともに、シロッコファン９の回転速度を強に設定し、ヒータ６をＯＦＦにする。このように涼風モードにおいても、上述した乾燥モードと同様の経路を経て空気が吸入・排出されることとなるため、空気の乱れにより生ずるバサバサ音等の発生を抑制し、空気の排気効率の向上を図ることが可能となる。
【００７７】
以上説明したように、浴室空調装置１では、拡通路２１に整流板２５ａ〜２５ｄが設置されるため、狭通路２０から流れ込む空気の流れを阻害することなく吹出口１５または排気口１６へと空気を導くことができる。特に、拡通路２１は連通方向に進むに従って通路幅が拡幅しているので空気の乱れが発生しやくなるが、整流板２５ａ〜２５ｄをこの位置に設けることによって空気の乱れを生じさせることなく空気を誘導することが可能となる。
【００７８】
また、各整流板２５ａ〜２５ｄの高さが階段状に変化しているので、シロッコファン９により導入される風量が高さ方向に応じて異なる場合であっても各整流板２５ａ〜２５ｄで分担して空気を整流させることができ、拡通路２１の幅方向に対する空気の渦の発生を抑制することができる。このように空気の渦の発生を抑制することができるため、シロッコファン９による空気の吸入により生じやすいバサバサ音を低減させることが可能となる。
【００７９】
さらに各整流板２５ａ〜２５ｄは、本体ケース３の上面側端部から下端部に進むに従って、徐々にシロッコファン９方向に傾斜しているため、各整流板２５ａ〜２５ｄにより受け止められた空気は、整流板２５ａ〜２５ｄの端部で空気の乱れを生ずることなく整流板２５ａ〜２５ｄの延設方向へと導かれ易くなり、狭通路２０より流れてくる空気と相まって空気を円滑にダンパー収納部１３へと導くことが可能となる。
【００８０】
また、整流板２５ａ〜２５ｄの断面形状が尾翼形状により構成されているので、整流板２５ａ〜２５ｄに対する気流の空気抵抗を低減させることができ、風きり音等の騒音を低減させることが可能となる。
【００８１】
さらに、整流板２５ａ〜２５ｄを本体ケース３の成型時に一体に形成することによって、部品点数を増加させることなく整流板２５ａ〜２５ｄを設置することができるので、コスト上昇を抑えることが可能となる。
【００８２】
また、舌状壁部２２の側面を湾曲面２６で形成することによって、ダンパー収納部１３に流れ込んでくる空気を螺旋状に旋回させて吹出口１５または排気口１６に案内することができるので、ダンパー収納部１３における空気の留まりを防止して吹出口１５または排気口１６に向かう風速の均一化を図ることができ、空気の密度差等に起因する騒音の発生を低減させることが可能となる。
【００８３】
さらに、湾状凹所に入り込んだ空気が円滑に吹出口１５へと運ばれるので、ヒータ６を通る空気の均一化を図ることができ、ヒータ６で暖められる空気の温度ムラを低減させることが可能となる。
【００８４】
また、舌状壁部２２に対向するダンパー収納部１３の対向側壁２７も湾曲面２６に対応する曲面により構成され、湾曲面２６と対向側壁２７とによりすり鉢状の湾曲凹所が形成されるので、この湾状凹所のすり鉢状の曲面によってより一層気流を旋回させ易くすることが可能となる。
【００８５】
さらに、シロッコファン９に最も近い位置に形成される整流板２５ａの後端が、舌状壁部２２のダンパー収納部１３側の側壁２２ａにと向かうようにして設置されているため、シロッコファン９の外周側９ｄ上側に排出される風速の速い空気がこの整流板２５ａにより舌状壁部２２近傍へ積極的に導き入れられる。導き入れられた風速の速い空気は、舌状壁部２２の湾曲面２６上寄りの曲率の小さな曲面により回転半径の小さな螺旋の流れを形成することとなり、さらに風速の遅い空気は、舌状壁部２２の湾曲面２６下寄りの曲率が大きな曲面により回転半径の大きな螺旋の流れを形成することとなるため、螺旋状の空気の流れを積極的に作ることが可能となる。
【００８６】
また、ダンパー収納部１３の排気口１６近傍の側壁が、連続的な曲面２９によって構成されているため、螺旋状に旋回された空気は、排気口１６近傍で気流の乱れを生ずることなく排気口１６へと流れて行き易くなり、空気の乱れによる騒音等の発生を低減させることが可能となる。
【００８７】
以上、本発明に係る送風装置を浴室空調装置１に使用した実施形態を、運転モード毎に場合分けをして説明したが、本発明に係る空調装置は上述した実施形態に限定されるものではない。いわゆる当業者であれば、特許請求の範囲に記載された範疇内において各種の変更例または修正例に想到しうることは明らかであり、それらについても当然に本発明の技術的範囲に属するものと了解される。
【００８８】
例えば、上述した実施形態では、シロッコファン９がファンモータ８とともにユニット化されたファンユニット２を用いた場合について説明を行ったが、ファンは必ずしもユニット化されたものに限定されるものではなく、ファン、モータ等が別体に構成されるものであってもよい。さらに、実施形態では、送風用のファンとしてシロッコファンを用いた場合について説明を行ったが、ファンは必ずしもシロッコファンに限定されるものではなく、ラジアルファンのような多翼ファンを用いるものであってもよい。
【００８９】
また、上記実施形態では、１台のファンユニットを用いて空気の換気（循環）と排気とを行う空調装置を説明したが、換気用のファンユニットと排気用のファンユニットとの両方を備えた送風装置であっても、本発明に係る送風装置の構成を適用することによって、同様の効果を奏することが可能である。
【００９０】
さらに、上述した実施形態では浴室用空調装置についての説明を行ったが、本発明に係る送風装置は浴室用の空調装置に限定されるものではなく、浴室以外に用いられる空調装置であってもよい。
【図面の簡単な説明】
【００９１】
【図１】実施形態に係る浴室空調装置を示す斜視図である。
【図２】全閉の状態にダンパーが回動された浴室空調装置を示す側方断面図である。
【図３】実施形態に係る本体ケースを下側開口方向より示した斜視図である。
【図４】実施形態に係る本体ケースを示した底面図である。
【図５】実施形態に係るシロッコファンと狭通路と拡通路と整流板との関係を示した斜視図である。
【図６】実施形態に係る浴室空調装置の制御機能を示したブロック図である。
【図７】全開の状態にダンパーが回動された浴室空調装置と半開の状態にダンパーが回動された浴室空調装置とを示す側方断面図である。
【符号の説明】
【００９２】
１     …浴室空調装置
２     …ファンユニット
３     …本体ケース
４     …ダンパー
４ａ   …（ダンパーの）軸
４ｂ   …（ダンパーの）リブ
４ｃ   …（リブの）ガイド孔
４ｄ   …（ダンパーの）凹状湾曲面
５     …ファンカバー
５ａ   …（ファンカバーの）吸入孔
５ｂ   …（ファンカバーの）吹出孔
６     …ヒータ
７     …フロントパネル
８     …ファンモータ
８ａ   …（ファンモータの）回転軸
９     …シロッコファン（ファン）
９ａ   …（シロッコファンの）基盤
９ｂ   …（シロッコファンの）翼
９ｃ   …（シロッコファンの）外周側
９ｄ   …（拡通路の側壁を構成するシロッコファンの）外周側
１２   …ファン収納部
１２ａ  …（ファン収納部の）開口
１２ｂ  …（ファン収納部の）側壁面
１３   …ダンパー収納部（送風部）
１５   …吹出口（排出口）
１６   …排気口（排出口）
１８   …カム
１９   …（カムの）突起部
２０   …狭通路
２１   …拡通路
２１ａ  …（拡大通路の）一の側壁
２１ｂ  …（拡大通路の）他の側壁
２２   …舌状壁部
２２ａ  …（舌状壁部）側壁
２５ａ〜２５ｄ   …整流板
２６   …（舌状壁部の）湾曲面
２７   …対向側壁
２８   …湾状凹所
２９   …（排気口近傍の）曲面
３０   …吸入口（吸気口）
３３   …天井面
４０   …操作パネル
４１   …制御部
４２   …カム駆動用モータ
【図１】
0004760411.tif 000002
【図２】
0004760411.tif 000003
【図３】
0004760411.tif 000004
【図４】
0004760411.tif 000005
【図５】
0004760411.tif 000006
【図６】
0004760411.tif 000007
【図７】
0004760411.tif 000008